(57)【要約】【課題】製造作業の工数を低減しうる熱交換器を提供する。【解決手段】この発明の熱交換器を適用したコンデンサは、冷媒流出口18を有する凝縮部出口ヘッダ部８が設けられた凝縮部と、凝縮部出口ヘッダ部８の冷媒流出口18から流出する冷媒中の異物を除去する金属製網状ストレーナ26とを備えている。凝縮部出口ヘッダ部８をコンデンサの第１ヘッダタンク３に設け、同じく第２ヘッダタンク４を凝縮部出口ヘッダ部８の冷媒流出口18から流出した冷媒を受け入れる冷媒受け入れ部材とする。凝縮部出口ヘッダ部８内と第２ヘッダタンク４内とを、両ヘッダタンク3,4にろう付された連通部材21により通じさせる。ストレーナ26の周縁部を、第２ヘッダタンク４および連通部材21により挟んだ状態で、第２ヘッダタンク４および連通部材21に固定する。【選択図】図３
2014052163.tif 000002
【特許請求の範囲】
【請求項１】
冷媒流出口を有する冷媒流出ヘッダ部が設けられた熱交換部と、冷媒流出ヘッダ部の冷媒流出口から流出した冷媒を受け入れる冷媒受け入れ部材とを備えている熱交換器において、
冷媒流出ヘッダ部の冷媒流出口から流出する冷媒中の異物を除去する金属製網状ストレーナを有し、ストレーナの周縁部が、冷媒受け入れ部材、および冷媒受け入れ部材にろう付されたストレーナ固定部材により挟まれた状態で両部材に固定されている熱交換器。
【請求項２】
冷媒受け入れ部材およびストレーナ固定部材のうち少なくともいずれか一方に、ストレーナの周縁部を嵌め入れる凹部が形成されており、当該凹部内にストレーナの周縁部が嵌め入れられた状態で冷媒受け入れ部材およびストレーナ固定部材に固定されている請求項１記載の熱交換器。
【請求項３】
凝縮部および過冷却部が、前者が上側に位置するように設けられ、長さ方向を左右方向に向けるとともに上下方向に間隔をおいて並列状に配置された複数の金属製熱交換管と、長さ方向を上下方向に向けて配置されるとともに熱交換管の左右両端部が接続された金属製ヘッダタンクとを備え、凝縮部および過冷却部に、それぞれ上下に連続して並んだ複数の熱交換管からなる少なくとも１つの熱交換パスが設けられ、凝縮部の熱交換管を流れた全冷媒が過冷却部の熱交換管に流入するようになされ、カーエアコンのコンデンサとして用いられるようになっており、
左右いずれか一端部側に、凝縮部の全熱交換管が接続される第１ヘッダタンクと、過冷却部の全熱交換管が接続されかつ液溜機能を有する第２ヘッダタンクとが、第２ヘッダタンクが第１ヘッダタンクよりも左右方向外側に位置するように設けられ、第２ヘッダタンクの下端が第１ヘッダタンクの下端よりも下方に位置させられるとともに同上端が第１ヘッダタンクの下端よりも上方に位置させられ、
第１ヘッダタンクに凝縮部出口ヘッダ部が設けられるとともに、凝縮部出口ヘッダ部に冷媒流出口が形成され、第２ヘッダタンクにおける第１ヘッダタンクの下端よりも下方に位置する部分に過冷却部入口ヘッダ部が設けられ、第１ヘッダタンクの凝縮部出口ヘッダ部内と、第２ヘッダタンク内における第１ヘッダタンクの下端よりも上方の部分とが、両ヘッダタンクにろう付された金属製連通部材を介して通じさせられ、ストレーナの周縁部が、第２ヘッダタンクおよび連通部材により挟まれた状態で第２ヘッダタンクおよび連通部材に固定されており、
凝縮部出口ヘッダ部が冷媒流出口を有する冷媒流出ヘッダ部であるとともに、凝縮部が冷媒流出ヘッダ部を有する熱交換部であり、第２ヘッダタンクにおける第１ヘッダタンクの下端よりも上方に位置する部分が、冷媒流出ヘッダ部の冷媒流出口から流出した冷媒を受け入れる冷媒受け入れ部材を兼ねており、連通部材が、冷媒受け入れ部材にろう付されたストレーナ固定部材を兼ねている請求項１または２記載の熱交換器。
【請求項４】
第２ヘッダタンクにおける第１ヘッダタンクの下端よりも上方に位置する部分に冷媒流入口が設けられ、連通部材に第１ヘッダタンクおよび第２ヘッダタンクのの外周面の一部に面接触してろう付される凹面状の２つのろう付面が設けられ、連通部材に、両端が２つのろう付面に開口するとともに冷媒流出口と冷媒流入口とを通じさせる流路が設けられ、第２ヘッダタンク側を向いたろう付面における流路の一端開口の周囲の部分に、ストレーナの周縁部が嵌め入れられる凹部が設けられている請求項３記載の熱交換器。
【請求項５】
凝縮部および過冷却部が、前者が上側に位置するように設けられ、長さ方向を左右方向に向けるとともに上下方向に間隔をおいて並列状に配置された複数の金属製熱交換管と、長さ方向を上下方向に向けて配置されるとともに熱交換管の左右両端部が接続された金属製ヘッダタンクとを備え、凝縮部および過冷却部に、それぞれ上下に連続して並んだ複数の熱交換管からなる少なくとも１つの熱交換パスが設けられ、凝縮部の熱交換管を流れた全冷媒が過冷却部の熱交換管に流入するようになされ、カーエアコンのコンデンサとして用いられるようになっており、
左右いずれか一端部側に設けられ、かつ凝縮部および過冷却部の全熱交換管が接続されるヘッダタンクと、ヘッダタンクとは別個に形成されるとともにヘッダタンクの左右方向の外側に配置された液溜部とを備えており、ヘッダタンクが仕切部により上下２つの区画に分割され、ヘッダタンクの上側区画に凝縮部出口ヘッダ部が設けられるとともに、同下側区画に過冷却部入口ヘッダ部が設けられ、ヘッダタンクの凝縮部出口ヘッダ部に冷媒流出口が形成され、ヘッダタンクの凝縮部出口ヘッダ部内および過冷却部入口ヘッダ部内と液溜部内とが、それぞれヘッダタンクおよび液溜部にろう付された連通部材を介して通じさせられ、ストレーナの周縁部が、液溜部および連通部材により挟まれた状態で液溜部および連通部材に固定されており、
凝縮部出口ヘッダ部が冷媒流出口を有する冷媒流出ヘッダ部であるとともに、凝縮部が冷媒流出ヘッダ部を有する熱交換部であり、液溜部におけるヘッダタンクの仕切部よりも上方に位置する部分が、冷媒流出ヘッダ部の冷媒流出口から流出した冷媒を受け入れる冷媒受け入れ部材を兼ねており、連通部材が、冷媒受け入れ部材にろう付されたストレーナ固定部材を兼ねている請求項１または２記載の熱交換器。
【請求項６】
液溜部におけるヘッダタンクの仕切部よりも上方に位置する部分に冷媒流入口が設けられ、連通部材にヘッダタンクおよび液溜部の外周面の一部に面接触してろう付される凹面状の２つのろう付面が設けられ、連通部材に、両端が２つのろう付面に開口するとともに冷媒流出口と冷媒流入口とを通じさせる流路が設けられ、液溜部側を向いたろう付面における流路の一端開口の周囲の部分に、ストレーナの周縁部が嵌め入れられる凹部が設けられている請求項５記載の熱交換器。
【請求項７】
全体が凝縮部となっており、長さ方向を左右方向に向けるとともに上下方向に間隔をおいて並列状に配置された複数の金属製熱交換管と、長さ方向を上下方向に向けて配置されるとともに熱交換管の左右両端部が接続された金属製ヘッダタンクとを備え、凝縮部に、上下に連続して並んだ複数の熱交換管からなる少なくとも１つの熱交換パスが設けられ、カーエアコンのコンデンサとして用いられるようになっており、
左右いずれか一端部側に設けられたヘッダタンクに、冷媒出口を有する凝縮部出口ヘッダ部が設けられ、ヘッダタンクに冷媒出口に通じる冷媒流路を有する金属製配管部材がろう付され、ストレーナの周縁部が、ヘッダタンクおよび配管部材により挟まれた状態でヘッダタンクおよび配管部材に固定されており、
冷媒出口が冷媒流出口であり、凝縮部出口ヘッダ部が冷媒流出口を有する冷媒流出ヘッダ部であるとともに、凝縮部が冷媒流出ヘッダ部を有する熱交換部であり、配管部材が、冷媒流出ヘッダ部の冷媒流出口から流出した冷媒を受け入れる冷媒受け入れ部材を兼ねており、ヘッダタンクが冷媒受け入れ部材にろう付されたストレーナ固定部材を兼ねている請求項１または２記載の熱交換器。
【請求項８】
配管部材におけるヘッダタンク側の開口が冷媒流入口となっており、配管部材にヘッダタンクの外周面の一部に面接触してろう付される凹面状のろう付面が設けられ、配管部材の流路の一端がろう付面に開口し、配管部材のろう付面における流路の一端開口の周囲の部分に、ストレーナの周縁部が嵌め入れられる凹部が設けられている請求項７記載の熱交換器。
【請求項９】
ストレーナにおける周縁部を除いた部分が、冷媒受け入れ部材側に膨出している請求項１〜８のうちのいずれかに記載の熱交換器。
【発明の詳細な説明】
【技術分野】
【０００１】
この発明は、たとえば自動車に搭載されるカーエアコンのコンデンサに好適に用いられる熱交換器に関する。
【０００２】
この明細書および特許請求の範囲において、上下、左右は図１、図２、図５、図６、図９および図１０の上下、左右をいうものとする。
【背景技術】
【０００３】
たとえばカーエアコンのコンデンサとして、凝縮部および過冷却部が、前者が上側に位置するように設けられており、長さ方向を左右方向に向けるとともに上下方向に間隔をおいて並列状に配置された複数の熱交換管と、熱交換管の左右両端部が接続された上下方向にのびるヘッダタンクとを備え、上下に連続して並んだ複数の熱交換管からなる熱交換パスが上下に並んで３以上設けられ、凝縮部に２以上の熱交換パスが設けられ、凝縮部に設けられた熱交換パスが冷媒を凝縮させる冷媒凝縮パスであり、過冷却部に設けられた熱交換パスが冷媒を過冷却する冷媒過冷却パスであり、左右いずれか一端部側に、下端の冷媒凝縮パスを除いた冷媒凝縮パスの熱交換管が接続される第１ヘッダタンクと、冷媒過冷却パスの熱交換管および下端の冷媒凝縮パスの熱交換管が接続される第２ヘッダタンクとが、第２ヘッダタンクが左右方向外側に位置するように設けられ、第２ヘッダタンクの上端が第１ヘッダタンクの下端よりも上方に位置しているとともに、第２ヘッダタンクが気液を分離しかつ液を溜める機能を有しており、第２ヘッダタンク内に合成樹脂製冷媒通過用筒状体が配置され、冷媒通過用筒状体の少なくとも一部分が、第２ヘッダタンク内における冷媒凝縮パスの下方に隣接する冷媒過冷却パスの熱交換管が通じている部分に位置しており、第２ヘッダタンクの周壁と冷媒通過用筒状体の間に、第２ヘッダタンク内を、第２ヘッダタンク内における冷媒凝縮パスの下方に隣接する冷媒過冷却パスの熱交換管が通じている第１部分と、第１部分よりも上方の第２部分とに区画する仕切部が設けられ、冷媒通過用筒状体に第２ヘッダタンク内の第１部分に開口した第１連通口および第２部分に開口した第２連通口が形成され、第１および第２連通口が網状ストレーナにより塞がれているコンデンサが知られている（特許文献１参照）。
【０００４】
しかしながら、特許文献１記載のコンデンサにおいては、第２ヘッダタンク内に配置された冷媒通過用筒状体が合成樹脂製であるから、すべての部品を一括してろう付することにより製造することはできない。すなわち、第２ヘッダタンクを一端が開口するとともに他端が閉鎖された有底筒状本体と、有底筒状本体の開口端部に着脱自在に取り付けられて当該開口を閉鎖する閉鎖部材とによって構成し、他の部品を一括してろう付する際に有底筒状本体をつくった後、冷媒通過用筒状体を有底筒状本体に挿入し、さらに閉鎖部材を有底筒状本体に取り付ける必要があるので、工数が多くなって製造作業が面倒であるという問題がある。
【先行技術文献】
【特許文献】
【０００５】
【特許文献１】特開２０１１−１８３８６９号公報
【発明の概要】
【発明が解決しようとする課題】
【０００６】
この発明の目的は、上記実情に鑑み、製造作業の工数を低減しうる熱交換器を提供することにある。
【課題を解決するための手段】
【０００７】
本発明は、上記目的を達成するために以下の態様からなる。
【０００８】
1)冷媒流出口を有する冷媒流出ヘッダ部が設けられた熱交換部と、冷媒流出ヘッダ部の冷媒流出口から流出した冷媒を受け入れる冷媒受け入れ部材とを備えている熱交換器において、
冷媒流出ヘッダ部の冷媒流出口から流出する冷媒中の異物を除去する金属製網状ストレーナを有し、ストレーナの周縁部が、冷媒受け入れ部材、および冷媒受け入れ部材にろう付されたストレーナ固定部材により挟まれた状態で両部材に固定されている熱交換器。
【０００９】
2)冷媒受け入れ部材およびストレーナ固定部材のうち少なくともいずれか一方に、ストレーナの周縁部を嵌め入れる凹部が形成されており、当該凹部内にストレーナの周縁部が嵌め入れられた状態で冷媒受け入れ部材およびストレーナ固定部材に固定されている上記1)記載の熱交換器。
【００１０】
3)凝縮部および過冷却部が、前者が上側に位置するように設けられ、長さ方向を左右方向に向けるとともに上下方向に間隔をおいて並列状に配置された複数の金属製熱交換管と、長さ方向を上下方向に向けて配置されるとともに熱交換管の左右両端部が接続された金属製ヘッダタンクとを備え、凝縮部および過冷却部に、それぞれ上下に連続して並んだ複数の熱交換管からなる少なくとも１つの熱交換パスが設けられ、凝縮部の熱交換管を流れた全冷媒が過冷却部の熱交換管に流入するようになされ、カーエアコンのコンデンサとして用いられるようになっており、
左右いずれか一端部側に、凝縮部の全熱交換管が接続される第１ヘッダタンクと、過冷却部の全熱交換管が接続されかつ液溜機能を有する第２ヘッダタンクとが、第２ヘッダタンクが第１ヘッダタンクよりも左右方向外側に位置するように設けられ、第２ヘッダタンクの下端が第１ヘッダタンクの下端よりも下方に位置させられるとともに同上端が第１ヘッダタンクの下端よりも上方に位置させられ、
第１ヘッダタンクに凝縮部出口ヘッダ部が設けられるとともに、凝縮部出口ヘッダ部に冷媒流出口が形成され、第２ヘッダタンクにおける第１ヘッダタンクの下端よりも下方に位置する部分に過冷却部入口ヘッダ部が設けられ、第１ヘッダタンクの凝縮部出口ヘッダ部内と、第２ヘッダタンク内における第１ヘッダタンクの下端よりも上方の部分とが、両ヘッダタンクにろう付された金属製連通部材を介して通じさせられ、ストレーナの周縁部が、第２ヘッダタンクおよび連通部材により挟まれた状態で第２ヘッダタンクおよび連通部材に固定されており、
凝縮部出口ヘッダ部が冷媒流出口を有する冷媒流出ヘッダ部であるとともに、凝縮部が冷媒流出ヘッダ部を有する熱交換部であり、第２ヘッダタンクにおける第１ヘッダタンクの下端よりも上方に位置する部分が、冷媒流出ヘッダ部の冷媒流出口から流出した冷媒を受け入れる冷媒受け入れ部材を兼ねており、連通部材が、冷媒受け入れ部材にろう付されたストレーナ固定部材を兼ねている上記1)または2)記載の熱交換器。
【００１１】
4)第２ヘッダタンクにおける第１ヘッダタンクの下端よりも上方に位置する部分に冷媒流入口が設けられ、連通部材に第１ヘッダタンクおよび第２ヘッダタンクのの外周面の一部に面接触してろう付される凹面状の２つのろう付面が設けられ、連通部材に、両端が２つのろう付面に開口するとともに冷媒流出口と冷媒流入口とを通じさせる流路が設けられ、第２ヘッダタンク側を向いたろう付面における流路の一端開口の周囲の部分に、ストレーナの周縁部が嵌め入れられる凹部が設けられている上記3)記載の熱交換器。
【００１２】
5)凝縮部および過冷却部が、前者が上側に位置するように設けられ、長さ方向を左右方向に向けるとともに上下方向に間隔をおいて並列状に配置された複数の金属製熱交換管と、長さ方向を上下方向に向けて配置されるとともに熱交換管の左右両端部が接続された金属製ヘッダタンクとを備え、凝縮部および過冷却部に、それぞれ上下に連続して並んだ複数の熱交換管からなる少なくとも１つの熱交換パスが設けられ、凝縮部の熱交換管を流れた全冷媒が過冷却部の熱交換管に流入するようになされ、カーエアコンのコンデンサとして用いられるようになっており、
左右いずれか一端部側に設けられ、かつ凝縮部および過冷却部の全熱交換管が接続されるヘッダタンクと、ヘッダタンクとは別個に形成されるとともにヘッダタンクの左右方向の外側に配置された液溜部とを備えており、ヘッダタンクが仕切部により上下２つの区画に分割され、ヘッダタンクの上側区画に凝縮部出口ヘッダ部が設けられるとともに、同下側区画に過冷却部入口ヘッダ部が設けられ、ヘッダタンクの凝縮部出口ヘッダ部に冷媒流出口が形成され、ヘッダタンクの凝縮部出口ヘッダ部内および過冷却部入口ヘッダ部内と液溜部内とが、それぞれヘッダタンクおよび液溜部にろう付された連通部材を介して通じさせられ、ストレーナの周縁部が、液溜部および連通部材により挟まれた状態で液溜部および連通部材に固定されており、
凝縮部出口ヘッダ部が冷媒流出口を有する冷媒流出ヘッダ部であるとともに、凝縮部が冷媒流出ヘッダ部を有する熱交換部であり、液溜部におけるヘッダタンクの仕切部よりも上方に位置する部分が、冷媒流出ヘッダ部の冷媒流出口から流出した冷媒を受け入れる冷媒受け入れ部材を兼ねており、連通部材が、冷媒受け入れ部材にろう付されたストレーナ固定部材を兼ねている上記1)または2)記載の熱交換器。
【００１３】
6)液溜部におけるヘッダタンクの仕切部よりも上方に位置する部分に冷媒流入口が設けられ、連通部材にヘッダタンクおよび液溜部の外周面の一部に面接触してろう付される凹面状の２つのろう付面が設けられ、連通部材に、両端が２つのろう付面に開口するとともに冷媒流出口と冷媒流入口とを通じさせる流路が設けられ、液溜部側を向いたろう付面における流路の一端開口の周囲の部分に、ストレーナの周縁部が嵌め入れられる凹部が設けられている上記5)記載の熱交換器。
【００１４】
7)全体が凝縮部となっており、長さ方向を左右方向に向けるとともに上下方向に間隔をおいて並列状に配置された複数の金属製熱交換管と、長さ方向を上下方向に向けて配置されるとともに熱交換管の左右両端部が接続された金属製ヘッダタンクとを備え、凝縮部に、上下に連続して並んだ複数の熱交換管からなる少なくとも１つの熱交換パスが設けられ、カーエアコンのコンデンサとして用いられるようになっており、
左右いずれか一端部側に設けられたヘッダタンクに、冷媒出口を有する凝縮部出口ヘッダ部が設けられ、ヘッダタンクに冷媒出口に通じる冷媒流路を有する金属製配管部材がろう付され、ストレーナの周縁部が、ヘッダタンクおよび配管部材により挟まれた状態でヘッダタンクおよび配管部材に固定されており、
冷媒出口が冷媒流出口であり、凝縮部出口ヘッダ部が冷媒流出口を有する冷媒流出ヘッダ部であるとともに、凝縮部が冷媒流出ヘッダ部を有する熱交換部であり、配管部材が、冷媒流出ヘッダ部の冷媒流出口から流出した冷媒を受け入れる冷媒受け入れ部材を兼ねており、ヘッダタンクが冷媒受け入れ部材にろう付されたストレーナ固定部材を兼ねている上記1)または2)記載の熱交換器。
【００１５】
8)配管部材におけるヘッダタンク側の開口が冷媒流入口となっており、配管部材にヘッダタンクの外周面の一部に面接触してろう付される凹面状のろう付面が設けられ、配管部材の流路の一端がろう付面に開口し、配管部材のろう付面における流路の一端開口の周囲の部分に、ストレーナの周縁部が嵌め入れられる凹部が設けられている上記7)記載の熱交換器。
【００１６】
9)ストレーナにおける周縁部を除いた部分が、冷媒受け入れ部材側に膨出している上記1)〜8)のうちのいずれかに記載の熱交換器。
【発明の効果】
【００１７】
上記1)〜9)の熱交換器によれば、冷媒流出ヘッダ部の冷媒流出口から流出する冷媒中の異物を除去する金属製網状ストレーナを有し、ストレーナの周縁部が、冷媒受け入れ部材、および冷媒受け入れ部材にろう付されたストレーナ固定部材により挟まれた状態で両部材に固定されているので、冷媒受け入れ部材およびストレーナ固定部材を、熱交換管、フィン、サイドプレート、出口ヘッダ部を構成する部品などの他の熱交換器を構成する部品と一括してろう付するのと同時に、ストレーナを固定することが可能になる。したがって、製造工数が低減されて製造作業が容易になる。
【００１８】
上記2)の熱交換器によれば、冷媒受け入れ部材およびストレーナ固定部材のうち少なくともいずれか一方に、ストレーナの周縁部を嵌め入れる凹部が形成されており、当該凹部内にストレーナの周縁部が嵌め入れられた状態で冷媒受け入れ部材およびストレーナ固定部材に固定されているので、熱交換器の製造時のストレーナの位置決めを比較的簡単に行うことができる。
【００１９】
上記9)の熱交換器によれば、ストレーナの異物除去面積を大きくすることができる。
【図面の簡単な説明】
【００２０】
【図１】この発明による熱交換器を適用したコンデンサの第１の実施形態の全体構成を具体的に示す正面図である。
【図２】図１のコンデンサを模式的に示す正面図である。
【図３】図１のＡ−Ａ線拡大断面図である。
【図４】図１のコンデンサの要部を示す分解斜視図である。
【図５】この発明による熱交換器を適用したコンデンサの第２の実施形態の全体構成を具体的に示す正面図である。
【図６】図５のコンデンサを模式的に示す正面図である。
【図７】図５のＢ−Ｂ線拡大断面図である。
【図８】図５のコンデンサの要部を示す分解斜視図である。
【図９】この発明による熱交換器を適用したコンデンサの第３の実施形態の全体構成を具体的に示す正面図である。
【図１０】図９のコンデンサを模式的に示す正面図である。
【発明を実施するための形態】
【００２１】
以下、この発明の実施形態を、図面を参照して説明する。この実施形態は、この発明による熱交換器をカーエアコン用のコンデンサに適用したものである。
【００２２】
以下の説明において、図１、図５および図９の紙面表裏方向を通風方向というものとする。
【００２３】
また、以下の説明において、「アルミニウム」という用語には、純アルミニウムの他にアルミニウム合金を含むものとする。
【００２４】
さらに、全図面を通じて同一部分および同一物には同一符号を付して重複する説明を省略する。
【００２５】
図１はこの発明による熱交換器を適用したコンデンサの第１の実施形態の全体構成を具体的に示し、図２は図１のコンデンサを模式的に示し、図３および図４は図１のコンデンサの要部の構成を示す。図２においては、個々の熱交換管の図示は省略されるとともに、コルゲートフィン、サイドプレート、冷媒入口部材および冷媒出口部材の図示も省略されている。
【００２６】
図１および図２において、コンデンサ(1)（熱交換器）には、凝縮部(1A)および過冷却部(1B)が、前者が上側に位置するように設けられており、幅方向を通風方向に向けるとともに長さ方向を左右方向に向けた状態で上下方向に間隔をおいて配置された複数のアルミニウム製扁平状熱交換管(2A)(2B)と、長さ方向を上下方向に向けて配置されるとともに熱交換管(2A)(2B)の左右両端部がろう付により接続された３つのアルミニウム製ヘッダタンク(3)(4)(5)と、隣り合う熱交換管(2A)(2B)どうしの間および上下両端の外側に配置されて熱交換管(2A)(2B)にろう付されたアルミニウム製コルゲートフィン(6A)(6B)と、上下両端のコルゲートフィン(6A)(6B)の外側に配置されてコルゲートフィン(6A)(6B)にろう付されたアルミニウム製サイドプレート(7)とを備えている。
【００２７】
コンデンサ(1)の凝縮部(1A)および過冷却部(1B)には、それぞれ上下に連続して並んだ複数の熱交換管(2A)(2B)からなる少なくとも１つ、ここでは１つの熱交換パス(P1)(P2)が設けられており、凝縮部(1A)に設けられた熱交換パス(P1)が冷媒凝縮パスとなり、過冷却部(1B)に設けられた熱交換パス(P2)が冷媒過冷却パスとなっている。そして、各熱交換パス(P1)(P2)を構成する全ての熱交換管(2A)(2B)の冷媒流れ方向が同一となっているとともに、隣り合う２つの熱交換パスの熱交換管(2A)(2B)の冷媒流れ方向が異なっている。ここで、凝縮部(1A)の熱交換パス(P1)を第１熱交換パスといい、過冷却部(1B)の熱交換パス(P2)を第２熱交換パスというものとする。
【００２８】
コンデンサ(1)の左端側には、凝縮部(1A)に設けられた第１熱交換パス(P1)の全熱交換管(2A)の左端部がろう付により接続された第１ヘッダタンク(3)と、過冷却部(1B)に設けられた第２熱交換パス(P2)の熱交換管(2B)の左端部がろう付により接続された第２ヘッダタンク(4)とが、第２ヘッダタンク(4)が左右方向外側に位置するように別個に設けられている。第２ヘッダタンク(4)の上端は第１ヘッダタンク(3)の下端よりも上方、ここでは第１ヘッダタンク(3)の上端とほぼ同一高さ位置にある。また、第２ヘッダタンク(4)の下端は第１ヘッダタンク(3)の下端よりも下方に位置しており、第２ヘッダタンク(4)における第１ヘッダタンク(3)よりも下方に位置する部分に、第２熱交換パス(P2)を構成する第２熱交換管(2B)がろう付により接続されている。第２ヘッダタンク(4)は、凝縮部(1A)で凝縮した液相主体冷媒を貯留するとともに液相主体冷媒を過冷却部(1B)に供給する液溜部の機能を有している。
【００２９】
第１ヘッダタンク(3)の全体に、凝縮部(1A)の第１熱交換パス(P1)（凝縮部(1A)の下端の熱交換パス）の冷媒流れ方向下流側端部が通じる凝縮部出口ヘッダ部(8)が設けられている。第２ヘッダタンク(5)における第１ヘッダタンク(4)の下端よりも下方に位置する部分に、過冷却部(1B)の第２熱交換パス(P2)（過冷却部(1B)の上端の熱交換パス）の冷媒流れ方向上流側端部が通じる過冷却部入口ヘッダ部(9)が設けられている。
【００３０】
ここで、第１ヘッダタンク(3)に接続された熱交換管(2A)を第１熱交換管といい、第２ヘッダタンク(4)に接続された熱交換管(2B)を第２熱交換管というものとする。
【００３１】
コンデンサ(1)の右端部側には、第１および第２熱交換パス(P1)(P2)を構成する全ての熱交換管(2A)(2B)の右端部が接続される第３ヘッダタンク(5)が配置されている。第３ヘッダタンク(5)の横断面形状は第１ヘッダタンク(3)と同一である。
【００３２】
第３ヘッダタンク(5)内は、第１熱交換パス(P1)と第２熱交換パス(P2)との間の高さ位置に設けられたアルミニウム製仕切部材(11)により上下２つの区画(5a)(5b)に分割されており、上側区画(5a)の全体に、凝縮部(1A)の第１熱交換パス(P1)の冷媒流れ方向上流側端部が通じる凝縮部入口ヘッダ部(12)が設けられ、同じく下側区画(5b)の全体に、過冷却部(1B)の第２熱交換パス(P2)の冷媒流れ方向下流側端部が通じる過冷却部出口ヘッダ部(13)が設けられている。第３ヘッダタンク(5)の凝縮部入口ヘッダ部(12)の高さ方向の中程に冷媒入口(14)が形成されるとともに、過冷却部出口ヘッダ部(13)に冷媒出口(15)が形成されている。また、第３ヘッダタンク(5)に、冷媒入口(14)に通じるアルミニウム製冷媒入口部材(16)および冷媒出口(15)に通じるアルミニウム製冷媒出口部材(17)がろう付されている。
【００３３】
図３および図４に示すように、第１ヘッダタンク(3)の周壁(3a)おける凝縮部出口ヘッダ部(8)の高さの中程よりも下方でかつ下端寄りの部分に、凝縮部出口ヘッダ部(8)内から冷媒を流出させる冷媒流出口(18)が形成され、第２ヘッダタンク(4)の周壁(4a)における凝縮部出口ヘッダ部(8)の下端よりも上方の部分に、第２ヘッダタンク(4)内に冷媒を流入させる冷媒流入口(19)が形成されている。冷媒流出口(18)と冷媒流入口(19)とは、第１ヘッダタンク(3)と第２ヘッダタンク(4)との間に配置されて両ヘッダタンク(3)(4)にろう付されたアルミニウム製連通部材(21)を介して通じさせられている。連通部材(21)には、冷媒流入口(18)と冷媒流入口(19)とを通じさせる流路(23)が形成されている。また、連通部材(21)には、第１ヘッダタンク(3)の周壁(3a)外周面のうちの一部が面接触する凹面状のろう付面(24)と、第２ヘッダタンク(4)の周壁(4a)外周面のうちの一部が面接触する凹面状のろう付面(25)とが設けられており、流路(23)の一端が第１ヘッダタンク(3)側のろう付面(24)に開口するとともに、同他端が第２ヘッダタンク(4)側のろう付面(25)に開口している。
【００３４】
第２ヘッダタンク(4)と連通部材(21)との間に、凝縮部出口ヘッダ部(8)の冷媒流出口(18)から流出する冷媒中の異物を除去する金属製網状ストレーナ(26)が配置されており、ストレーナ(26)の周縁部が第２ヘッダタンク(4)の周壁(4a)および連通部材(21)にろう付されている。ストレーナ(26)は、たとえばステンレス鋼からなる。ストレーナ(26)における周縁側の所定幅部分を除いた部分は、第２ヘッダタンク(4)側（左側）に膨出している。ストレーナ(26)の周縁側の所定幅部分を(26a)で示し、膨出部を(26b)で示す。そして、ストレーナ(26)は、所定幅部分(26a)が連通部材(21)の第２ヘッダタンク(4)側のろう付面(25)における流路(23)の開口の周囲に形成された凹部(27)内に嵌め入れられるとともに、膨出部(26b)が冷媒流入口(19)を通して第２ヘッダタンク(4)内に突出させられた状態で、第２ヘッダタンク(4)および連通部材(21)に固定されている。なお、ストレーナ(26)の膨出部(26b)の目開きは０．１〜０．ｍｍであり、膨出部(26b)の表面積は１００ｍｍ２以上であることが好ましい。
【００３５】
ここで、コンデンサ(1)の凝縮部出口ヘッダ部(8)が、この発明による熱交換器における冷媒流出口(18)を有する冷媒流出ヘッダ部であるとともに、凝縮部(1A)が冷媒流出ヘッダ部を有する熱交換部であり、第２ヘッダタンク(4)における第１ヘッダタンク(3)の下端よりも上方に位置する部分が、冷媒流出ヘッダ部の冷媒流出口から流出した冷媒を受け入れる冷媒受け入れ部材を兼ねており、連通部材(21)が、冷媒受け入れ部材にろう付されたストレーナ固定部材を兼ねている。
【００３６】
コンデンサ(1)は、すべての部品を一括してろう付することにより製造される。
【００３７】
コンデンサ(1)は、圧縮機、膨張弁（減圧器）およびエバポレータとともに冷凍サイクルを構成し、カーエアコンとして車両に搭載される。
【００３８】
上述した構成のコンデンサ(1)において、圧縮機により圧縮された高温高圧の気相冷媒が、冷媒入口部材(16)および冷媒入口(14)を通って第３ヘッダタンク(5)の凝縮部入口ヘッダ部(12)内に流入し、第１熱交換パス(P1)の第１熱交換管(2A)内を左方に流れる間に凝縮させられて第１ヘッダタンク(3)の凝縮部出口ヘッダ部(8)内に流入する。第１ヘッダタンク(3)の凝縮部出口ヘッダ部(8)内に流入した冷媒は、冷媒流出口(18)、連通部材(21)の流路(23)および第２ヘッダタンク(4)の冷媒流入口(19)を通って第２ヘッダタンク(4)内に流入する。このとき、ストレーナ(26)により冷媒に含まれる異物が除去される。
【００３９】
第２ヘッダタンク(4)内に流入した冷媒は、気液混相冷媒であり、当該気液混相冷媒のうち液相主体混相冷媒は重力により第２ヘッダタンク(4)の過冷却部入口ヘッダ部(9)内に溜まり、第２熱交換パス(P2)の第２熱交換管(2B)内に入る。
【００４０】
第２熱交換パス(P2)の第２熱交換管(2B)内に入った液相主体混相冷媒は第２熱交換管(2B)内を右方に流れる間に過冷却された後、第３ヘッダタンク(5)の過冷却部出口ヘッダ部(13)内に入り、冷媒出口(15)および冷媒出口部材(17)を通って流出し、膨張弁を経てエバポレータに送られる。
【００４１】
図５〜図８はこの発明による熱交換器を適用したコンデンサの第２の実施形態を示す。図５はこの発明による熱交換器を適用したコンデンサの第２の実施形態の全体構成を具体的に示し、図６は図５のコンデンサを模式的に示し、図７および図８は図５のコンデンサの要部の構成を示す。図６においては、個々の熱交換管の図示は省略されるとともに、コルゲートフィン、サイドプレート、冷媒入口部材および冷媒出口部材の図示も省略されている。
【００４２】
図５および図６において、コンデンサ(30)（熱交換器）は全体が凝縮部(30A)となっており、幅方向を通風方向に向けるとともに長さ方向を左右方向に向けた状態で上下方向に間隔をおいて配置された複数のアルミニウム製扁平状熱交換管(31)と、長さ方向を上下方向に向けて配置されるとともに熱交換管(31)の左右両端部がろう付により接続された２つのアルミニウム製ヘッダタンク(32)(33)と、隣り合う熱交換管(31)どうしの間および上下両端の外側に配置されて熱交換管(31)にろう付されたアルミニウム製コルゲートフィン(34)と、上下両端のコルゲートフィン(34)の外側に配置されてコルゲートフィン(34)にろう付されたアルミニウム製サイドプレート(35)とを備えている。
【００４３】
コンデンサ(30)の凝縮部(30A)には上下に連続して並んだ複数の熱交換管(31)からなり、かつ冷媒凝縮パスである複数、ここでは２つの熱交換パス(P1)(P2)が設けられている。各熱交換パス(P1)(P2)を構成する全ての熱交換管(2A)(2B)の冷媒流れ方向が同一となっているとともに、隣り合う２つの熱交換パスの熱交換管(2A)(2B)の冷媒流れ方向が異なっている。ここで、上側の熱交換パス(P1)を第１熱交換パスといい、下側の熱交換パス(P2)を第２熱交換パスというものとする。
【００４４】
コンデンサ(30)の左右両端側には、それぞれ両熱交換パス(P1)(P2)を構成する全ての熱交換管(31)の左右両端部がろう付により接続された第１ヘッダタンク(32)および第２ヘッダタンク(33)が設けられている。
【００４５】
第１ヘッダタンク(32)内は、第１熱交換パス(P1)と第２熱交換パス(P2)との間の高さ位置に設けられたアルミニウム製仕切部材(36)により上下２つの区画(32a)(32b)に分割されており、上側区画(32a)の全体に、凝縮部(30A)の第１熱交換パス(P1)の冷媒流れ方向上流側端部が通じる凝縮部入口ヘッダ部(37)が設けられ、同じく下側区画(32b)の全体に、過冷却部(1B)の第２熱交換パス(P2)の冷媒流れ方向下流側端部が通じる過冷却部出口ヘッダ部(38)が設けられている。第１ヘッダタンク(32)の凝縮部入口ヘッダ部(37)の高さ方向の上端寄りの位置に冷媒入口(39)が形成されるとともに、過冷却部出口ヘッダ部(38)の高さ方向の下端寄りの位置に冷媒出口(41)が形成されている。また、第１ヘッダタンク(32)に、冷媒入口(39)に通じるアルミニウム製冷媒入口部材(42)および冷媒出口(41)に通じるアルミニウム製冷媒出口部材(43)がろう付されている。ここで、冷媒出口(41)が、第１ヘッダタンク(32)の周壁に形成された冷媒流出口となっており、出口部材(43)に冷媒出口(41)に通じる流路(44)が形成されている。
【００４６】
図７および図８に示すように、出口部材(43)には、第１ヘッダタンク(32)の周壁(32a)外周面のうちの一部が面接触する凹面状のろう付面(45)が設けられるとともに、配管接続用継手部材（図示略）を取り付ける取付面(46)が設けられている。流路(44)は、一端がろう付面(45)に開口し、他端が取付面(46)に開口していおり、流路(44)におけるろう付面(45)への開口が冷媒流入口(44A)となっている。
【００４７】
第１ヘッダタンク(32)と出口部材(43)との間に、凝縮部出口ヘッダ部(38)の冷媒出口(41)から流出する冷媒中の異物を除去する金属製網状ストレーナ(47)が配置されており、ストレーナ(47)の周縁部が第１ヘッダタンク(32)の周壁(32a)および出口部材(43)（配管部材）に固定されている。ストレーナ(47)は、たとえばステンレス鋼からなる。ストレーナ(47)における周縁側の所定幅部分を除いた部分は、第１ヘッダタンク(32)側（左側）に膨出している。ストレーナ(47)の周縁側の所定幅部分を(47a)で示し、膨出部を(47b)で示す。そして、ストレーナ(47)は、所定幅部分(47a)が出口部材(43)のろう付面(45)における流路(44)の開口の周囲に形成された凹部(48)内に嵌め入れられるとともに、膨出部(47b)が冷媒流入口(44A)を通して流路(44)内に突出させられた状態で、第１ヘッダタンク(32)および出口部材(43)に固定されている。なお、ストレーナ(47)の膨出部(47b)の目開きは０．１〜０．ｍｍであり、膨出部(47b)の表面積は１００ｍｍ２以上であることが好ましい。
【００４８】
ここで、コンデンサ(30)の冷媒出口(41)が冷媒流出口であり、凝縮部出口ヘッダ部(38)が冷媒流出口を有する冷媒流出ヘッダ部であるとともに、凝縮部(30A)が冷媒流出ヘッダ部を有する熱交換部であり、出口部材(43)が、冷媒流出ヘッダ部の冷媒流出口から流出した冷媒を受け入れる冷媒受け入れ部材を兼ねており、第１ヘッダタンク(32)が冷媒受け入れ部材にろう付されたストレーナ固定部材を兼ねている。
【００４９】
コンデンサ(30)は、すべての部品を一括してろう付することにより製造される。
【００５０】
コンデンサ(30)は、圧縮機、膨張弁（減圧器）およびエバポレータとともに冷凍サイクルを構成し、カーエアコンとして車両に搭載される。
【００５１】
入口部材(42)には圧縮機からの配管が接続され、出口部材(43)には液溜への配管に接続される。入口部材(42)および冷媒入口(39)を通って第１ヘッダタンク(32)の凝縮部入口ヘッダ部(37)内に流入した冷媒は、第１熱交換パス(P1)の熱交換管(31)内を右方に流れる間に冷却されて第２ヘッダタンク(33)内に流入し、第２熱交換パス(P2)の熱交換管(31)内を左方に流れる間に冷却されて第１ヘッダタンク(32)の凝縮部出口ヘッダ部(38)内に流入する。第１ヘッダタンク(32)の凝縮部出口ヘッダ部(38)内に流入した冷媒は、冷媒出口(41)および出口部材(43)の冷媒流入口(44A)を通って流路(44)内に流入する。このとき、ストレーナ(47)により冷媒に含まれる異物が除去される。出口部材(43)の流路(44)を通過した冷媒は、液溜に送られる。
【００５２】
図９および図１０はこの発明による熱交換器を適用したコンデンサの第３の実施形態を示す。図９はこの発明による熱交換器を適用したコンデンサの第３の実施形態の全体構成を具体的に示し、図１０は図９のコンデンサを模式的に示す。図１０においては、個々の熱交換管の図示は省略されるとともに、コルゲートフィン、サイドプレート、冷媒入口部材および冷媒出口部材の図示も省略されている。
【００５３】
図９および図１０において、コンデンサ(50)（熱交換器）には、凝縮部(50A)および過冷却部(50B)が、前者が上側に位置するように設けられるとともに、凝縮部(50A)と過冷却部(50B)との間に、長さ方向を上下方向に向けたアルミニウム製液溜部(51)が凝縮部(50A)および過冷却部(50B)とは別個に設けられている。コンデンサ(50)は、幅方向を通風方向に向けるとともに長さ方向を左右方向に向けた状態で上下方向に間隔をおいて配置された複数のアルミニウム製扁平状熱交換管(52)と、長さ方向を上下方向に向けて配置されるとともに熱交換管(52)の左右両端部がろう付により接続された２つのアルミニウム製ヘッダタンク(53)(54)と、隣り合う熱交換管(52)どうしの間および上下両端の外側に配置されて熱交換管(52)にろう付されたアルミニウム製コルゲートフィン(55)と、上下両端のコルゲートフィン(55)の外側に配置されてコルゲートフィン(55)にろう付されたアルミニウム製サイドプレート(56)とを備えている。
【００５４】
コンデンサ(50)の凝縮部(50A)には、上下に連続して並んだ複数の熱交換管(52)からなる少なくとも１つ、ここでは１つの熱交換パス(P1)が設けられ、同じく過冷却部(50B)には、上下に連続して並んだ複数の熱交換管(52)からなる少なくとも１つ、ここでは１つの熱交換パス(P2)が設けられている。凝縮部(50A)に設けられた１つの熱交換パス(P1)が冷媒凝縮パスとなり、過冷却部(50B)に設けられた１つの熱交換パス(P2)が冷媒過冷却パスとなっている。そして、各熱交換パス(P1)(P2)を構成する全ての熱交換管(52)の冷媒流れ方向が同一となっているとともに、隣り合う２つの熱交換パスの熱交換管(52)の冷媒流れ方向が異なっている。ここで、凝縮部(50A)の１つの熱交換パス(P1)を第１熱交換パスといい、過冷却部(50B)の１つの熱交換パス(P2)を第２熱交換パスというものとする。
【００５５】
コンデンサ(50)の左端側には、凝縮部(50A)および過冷却部(50B)の全熱交換管(52)の左端部がろう付により接続された第１ヘッダタンク(53)が設けられ、同じく右端側には、凝縮部(50A)および過冷却部(50B)の全熱交換管(52)の右端部がろう付により接続された第２ヘッダタンク(54)が設けられている。
【００５６】
コンデンサ(50)の第１および第２ヘッダタンク(53)(54)内は、第１熱交換パス(P1)と第２熱交換パス(P2)との間の高さ位置においてそれぞれ仕切部材(57)(58)により上下２つの区画(53a)(53b)(54a)(54b)に仕切られており、これにより気相の冷媒を凝縮させて液相とする凝縮部(50A)と、凝縮部(50A)で凝縮された液状冷媒を過冷却する過冷却部(50B)とが前者が上方に位置するように設けられている。
【００５７】
コンデンサ(50)の第１ヘッダタンク(53)における仕切部材(57)よりも上側の上側区画(53a)の全体に、凝縮部(50A)の第１熱交換パス(P1)（凝縮部(1A)の下端の熱交換パス）の冷媒流れ方向下流側端部が通じる凝縮部出口ヘッダ部(59)が設けられている。コンデンサ(50)の第２ヘッダタンク(54)における仕切部材(58)よりも上側の上側区画(54a)の全体に、第１熱交換パス(P1)の冷媒流れ方向上流側端部が通じる凝縮部入口ヘッダ部(61)が設けられている。
【００５８】
コンデンサ(50)の第１ヘッダタンク(53)における仕切部材(57)よりも下側の下側区画(53b)の全体に、第２熱交換パス(P2)の冷媒流れ方向上流側端部が通じる過冷却部入口ヘッダ部(62)が設けられている。コンデンサ(50)の第２ヘッダタンク(54)における仕切部材(58)よりも下側の下側区画(54b)の全体に、第２熱交換パス(P2)の冷媒流れ方向下流側端部が通じる過冷却部出口ヘッダ部(63)が設けられている。第２ヘッダタンク(5)の凝縮部入口ヘッダ部(61)の高さの中程に冷媒入口(64)が形成されるとともに、過冷却部出口ヘッダ部(63)に冷媒出口(65)が形成されている。第２ヘッダタンク(54)に冷媒入口(64)に通じる冷媒入口部材(66)および冷媒出口(65)に通じる冷媒出口部材(67)がろう付されている。
【００５９】
液溜部(51)は上下両端が閉鎖された円筒状であり、液溜部(51)の上下両端は、第１ヘッダタンク(53)の上下両端とほぼ同一高さ位置にある。
【００６０】
第１ヘッダタンク(53)の周壁における凝縮部出口ヘッダ部(59)内における高さの中程よりも下方でかつ下端寄りの部分に、凝縮部出口ヘッダ部(59)内から冷媒を流出させる冷媒流出口(68)が形成され、液溜部(51)の周壁における仕切部材(57)よりも上方の部分に、液溜部(51)内に冷媒を流入させる冷媒流入口(69)が形成されている。また、液溜部(51)の周壁における仕切部材(57)よりも下方の部分に、液溜部(51)内から冷媒を流出させる冷媒流出口(71)が形成され、第１ヘッダタンク(53)の周壁における過冷却部入口ヘッダ部(62)に、過冷却部入口ヘッダ部(62)内に冷媒を流入させる冷媒流入口(72)が形成されている。
【００６１】
両冷媒流出口(68)(71)と両冷媒流入口(69)(72)とは、それぞれ第１の実施形態のコンデンサに用いられているのと同じ構成の連通部材(21)を介して通じさせられている。そして、第１ヘッダタンク(53)の冷媒流出口(68)と液溜部(51)の冷媒流入口(69)とを通じさせる連通部材(21)と、液溜部(51)との間に、第１の実施形態のコンデンサ(1)に用いられているのと同じ金属製網状ストレーナ(26)が配置されており、ストレーナ(26)の周縁部が液溜部(51)および連通部材(21)に固定されている。
【００６２】
ここで、コンデンサ(50)の凝縮部出口ヘッダ部(59)が冷媒流出口を有する冷媒流出ヘッダ部であるとともに、凝縮部(50A)が冷媒流出ヘッダ部を有する熱交換部であり、液溜部(51)が、冷媒流出ヘッダ部の冷媒流出口から流出した冷媒を受け入れる冷媒受け入れ部材を兼ねており、同じく連通部材(21)が、冷媒受け入れ部材にろう付されたストレーナ固定部材を兼ねている。
【００６３】
コンデンサ(50)は、すべての部品を一括してろう付することにより製造される。
【００６４】
コンデンサ(50)は、圧縮機、膨張弁（減圧器）およびエバポレータとともに冷凍サイクルを構成し、カーエアコンとして車両に搭載される。
【００６５】
上述した構成のコンデンサ(50)において、圧縮機により圧縮された高温高圧の気相冷媒が、冷媒入口部材(66)および冷媒入口(64)を通って第２ヘッダタンク(54)の凝縮部入口ヘッダ部(61)内に流入し、第１熱交換パス(P1)の第１熱交換管(52)内を左方に流れる間に凝縮させられて第１ヘッダタンク(53)の凝縮部出口ヘッダ部(59)内に流入する。第１ヘッダタンク(53)の凝縮部出口ヘッダ部(59)内に流入した冷媒は、冷媒流出口(68)、連通部材(21)の流路(23)および液溜部(51)の冷媒流入口(69)を通って液溜部(51)内に流入する。このとき、ストレーナ(26)により冷媒に含まれる異物が除去される。
【００６６】
液溜部(51)内に流入した冷媒は、気液混相冷媒であり、当該気液混相冷媒のうち液相主体混相冷媒は重力により液溜部(51)内の下部に溜まり、液溜部(51)の冷媒流出口(71)、連通部材(21)の流路(23)および第１ヘッダタンク(53)の冷媒流入口(72)を通って第１ヘッダタンク(53)の過冷却部入口ヘッダ部(62)内に入り、第２熱交換パス(P2)の第２熱交換管(2B)内を右方に流れる間に過冷却された後、第２ヘッダタンク(54)の過冷却部出口ヘッダ部(63)内に入り、冷媒出口(65)および冷媒出口部材(67)を通って流出し、膨張弁を経てエバポレータに送られる。
【産業上の利用可能性】
【００６７】
この発明による熱交換器は、自動車に搭載されるカーエアコン用のコンデンサに好適に用いられる。
【符号の説明】
【００６８】
(1)：コンデンサ（熱交換器）
(1A)：凝縮部
(1B)：過冷却部
(2A)(2B)：熱交換管
(3)：第１ヘッダタンク
(4)：第２ヘッダタンク（冷媒受け入れ部材）
(8)：凝縮部出口ヘッダ部（冷媒流出ヘッダ部）
(9)：過冷却部入口ヘッダ部
(18)：冷媒流出口
(19)：冷媒流入口
(21)：連通部材（ストレーナ固定部材）
(23)：流路
(24)(25)：ろう付面
(26)：ストレーナ
(26a)：所定幅部分
(26b)：膨出部
(27)：凹部
(30)：コンデンサ
(30A)：凝縮部
(31)：熱交換管
(32)：ヘッダタンク（ストレーナ固定部材）
(38)：凝縮部出口ヘッダ部（冷媒流出ヘッダ部）
(41)：冷媒出口（冷媒流出口）
(43)：出口部材（配管部材、冷媒受け入れ部材）
(44)：流路
(45)：ろう付面
(47)：ストレーナ
(47a)：所定幅部分
(47b)：膨出部
(48)：凹部
(50)：コンデンサ（熱交換器）
(50A)：凝縮部
(50B)：過冷却部
(51)：液溜部（冷媒受け入れ部材）
(52)：熱交換管
(53)：ヘッダタンク
(53a)：上区画
(53b)：下区画
(57)：仕切部材（仕切部）
(59)：凝縮部出口ヘッダ部（冷媒流出ヘッダ部）
(62)：過冷却部入口ヘッダ部
(68)：冷媒流出口
(P1)：第１熱交換パス
(P2)：第２熱交換パス
【図１】
2014052163.tif 000003
【図２】
2014052163.tif 000004
【図３】
2014052163.tif 000005
【図４】
2014052163.tif 000006
【図５】
2014052163.tif 000007
【図６】
2014052163.tif 000008
【図７】
2014052163.tif 000009
【図８】
2014052163.tif 000010
【図９】
2014052163.tif 000011
【図１０】
2014052163.tif 000012